(57)【要約】  画像表示装置の発光輝度を安定化させることができる技術を提供することを図る。上記目的を達成するために、画像表示装置であって、発光素子を含む画素回路と、画像データに基づき、画素回路の駆動に係るパラメータの予測値を認識する認識部と、画像データに応じて発光素子を発光させつつ、パラメータの実測値を取得する取得部と、を備える。さらに、この画像表示装置は、予測値と実測値とを比較する比較部と、比較部による比較結果に応じて、画素回路に印加される電源電圧を制御する制御部と、を備える。そして、制御部が、実測値が予測値を基準とした第１基準範囲から外れたことに応答して、実測値が第１基準範囲内で且つ該第１基準範囲よりも幅が狭い第２基準範囲に含まれるように電源電圧を増減させ、実測値が第２基準範囲に含まれる関係を満たしている場合には、電源電圧の増減を停止させる。なお、制御部は、画像表示装置の外部に設けられてもよい。
2009017156.tif 000002
【特許請求の範囲】
【請求項１】
画像表示装置であって、
発光素子を含む画素回路と、
画像データに基づき、前記画素回路の駆動に係るパラメータの予測値を認識する認識部と、
前記画像データに応じて前記発光素子を発光させつつ、前記パラメータの実測値を取得する取得部と、
前記予測値と前記実測値とを比較する比較部と、
前記比較部による比較結果に応じて、前記画素回路に印加される電源電圧を制御する制御部と、
を備え、
前記制御部は、
前記実測値が前記予測値を基準とした第１基準範囲から外れたことに応答して、前記実測値が前記第１基準範囲内で且つ該第１基準範囲よりも幅が狭い第２基準範囲に含まれるように前記電源電圧を増減させ、前記実測値が前記第２基準範囲に含まれる関係を満たしている場合には、前記電源電圧の増減を停止させることを特徴とする画像表示装置。
【請求項２】
請求項１に記載の画像表示装置であって、
前記実測値が前記予測値よりも高い場合には、前記電源電圧を低減させ、前記実測値が前記予測値よりも低い場合には、前記電源電圧を増加させることを特徴とする画像表示装置。
【請求項３】
請求項１に記載の画像表示装置であって、
前記画素回路に印加される電源電圧は、前記発光素子の両端に印加される電圧及び前記画像データの電圧の少なくともいずれか一方を含むことを特徴とする画像表示装置。
【請求項４】
請求項１に記載の画像表示装置であって、
前記電源電圧の増減を停止するのは、
前記実測値が、前記予測値まで到達したときに行われることを特徴とする画像表示装置。
【請求項５】
請求項１に記載の画像表示装置であって、
前記パラメータが、
前記画素回路の駆動に要する電流を含むことを特徴とする画像表示装置。
【請求項６】
請求項１に記載の画像表示装置であって、
前記パラメータが、
前記画素回路に含まれる発光素子から発せられる光の輝度を含むことを特徴とする画像表示装置。
【請求項７】
請求項１に記載の画像表示装置であって、
前記実測値および前記予測値が、
それぞれ画面全体に配置される複数の画素回路の駆動に係るパラメータの値であることを特徴とする画像表示装置。
【請求項８】
請求項１に記載の画像表示装置であって、
前記実測値が、
前記発光素子が発光する１フレーム分の発光期間のうちの予め定められたタイミングで測定される値であることを特徴とする画像表示装置。 
【請求項９】
請求項１に記載の画像表示装置であって、
前記画素回路にデータ信号を供給する画像信号線と、
前記画像信号線に対して前記データ信号を供給するタイミングを制御する画像信号線駆動回路と、
を備え、
前記制御部が、
前記電源電圧の変更に応じて、前記画像信号線駆動回路に印加される電源電圧を増減させることを特徴とする画像表示装置。
【請求項１０】
発光素子を含む画素回路を有する画像表示装置の制御方法であって、
画像データに基づき、前記画素回路の駆動に係るパラメータの予測値を認識するステップと、
前記画像データに応じて前記発光素子を発光させつつ、前記パラメータの実測値を取得するステップと、
前記実測値が前記予測値を基準とした第１基準範囲から外れたことに応答して、前記電源電圧を増減させるステップと、
前記実測値が前記第１基準範囲内の該第１基準範囲よりも幅が狭い第２基準範囲に含まれる関係を満たせば、前記電源電圧の増減を停止させるステップと、
を備えることを特徴とする画像表示装置の制御方法。
【請求項１１】
発光素子を含む画素回路を有する画像表示装置の調整システムであって、
画像表示装置と、該画像表示装置に接続される外部回路と、を備え、
前記画像表示装置は、
画像データに基づき、前記画素回路の駆動に係るパラメータの予測値を認識する認識部と、
前記画像データに応じて前記発光素子を発光させつつ、前記パラメータの値を測定することで、該パラメータの実測値を取得する取得部と、
前記予測値と前記実測値とを比較する比較部と、を備え、
前記外部回路は、
前記比較部による比較結果に応じて、前記画素回路に印加される電源電圧を制御する制御部、を備え、
前記制御部は、
前記実測値が前記予測値を基準とした第１基準範囲から外れたことに応答して、前記実測値が前記第１基準範囲内で且つ該第１基準範囲よりも幅が狭い第２基準範囲に含まれるように前記電源電圧を増減させ、前記実測値が前記第２基準範囲に含まれる関係を満たせば、前記電源電圧の増減を停止させることを特徴とする画像表示装置の調整システム。
【発明の詳細な説明】
【技術分野】
【０００１】
本発明は、画像表示装置に関する。
【背景技術】
【０００２】
従来より、電界発光を利用した有機ＥＬ(Electroluminescence)素子を備える画像表示装置が知られている。【０００３】
この様な画像表示装置では、そこに使われている薄膜トランジスタ（ＴＦＴ：Thin Film Transistor）と有機ＥＬ素子の温度特性により、有機ＥＬパネルの温度が変化すると発光輝度が変化する。【０００４】
このため、有機ＥＬ素子の画素回路に付与する信号波形、信号電圧又は電源電圧を適宜制御することで、広い温度範囲（例えば、−２０℃〜＋６０℃）における有機ＥＬパネルの温度変化に対して、発光輝度を安定させる技術が提案されている（例えば、特開平０７−２６３１４２号公報、特開２０００−２１４８２４号公報、特開２００１−１１８６７６号公報、特開２００１−３４３９３２号公報、特開２００３−２９７１０号公報、特許第３３８９６５３号公報、特開２００３−１５０１１３号公報、特開２００３−３３０４１９号公報、特開２００４−１０２０７７号公報、特開２００５−５５９０９号公報、特開２００５−２０８２２８号公報、特開２００５−２４２１１５号公報、特開２００５−３０９２３２号公報および特開２００５−３１６１３９号公報）。そして、例えば、３℃程度の刻みの温度区間ごとに信号波形を変更すると、温度区間の切れ目でも輝度変化が感じられない程度に輝度の変動を抑えることができる。【０００５】
しかしながら、有機ＥＬパネルの温度を測定し、その温度変化に対して輝度を調整する態様では、初期状態における温度変化に対しては対応可能であるが、有機ＥＬパネルの劣化などによる経時的な特性の変化には対応できない。すなわち、ＴＦＴ又は有機ＥＬ素子の経時的な特性の変化に対し、同じ画像データに対して画像表示装置の発光輝度を一定に保つことができない。【０００６】
また、温度変化に応じた発光制御を行うと、制御を行ってから有機ＥＬパネルの温度が追従するまである程度の期間が必要となり、制御の遅れが生じ易い。【０００７】
この様な問題は、経時的な特性の変化又は温度変化によって発光輝度が変動する画像表示装置一般に共通する。
【発明の開示】
【０００８】
本発明は上記問題に鑑みてなされたものであり、画像表示装置の発光輝度を安定化させることができる技術を提供することを目的とする。
【０００９】
第１の態様に係る画像表示装置は、発光素子を含む画素回路と、画像データに基づき、前記画素回路の駆動に係るパラメータの予測値を認識する認識部と、前記画像データに応じて前記発光素子を発光させつつ、前記パラメータの実測値を取得する取得部と、を備える。さらに、この画像表示装置は、前記予測値と前記実測値とを比較する比較部と、前記比較部による比較結果に応じて、前記画素回路に印加される電源電圧を制御する制御部と、を備える。そして、前記制御部は、前記実測値が前記予測値を基準とした第１基準範囲から外れたことに応答して、前記実測値が前記第１基準範囲内で且つ該第１基準範囲よりも幅が狭い第２基準範囲に含まれるように前記電源電圧を増減させ、前記実測値が前記第２基準範囲に含まれる関係を満たしている場合には、前記電源電圧の増減を停止させるようにした。
【００１０】
第２の態様に係る発光素子を含む画素回路を有する画像表示装置の制御方法は、画像データに基づき、前記画素回路の駆動に係るパラメータの予測値を認識するステップと、前記画像データに応じて前記発光素子を発光させつつ、前記所定パラメータの実測値を取得するステップと、を備える。さらに、この制御方法は、前記実測値が前記予測値を基準とした第１基準範囲から外れたことに応答して、前記電源電圧を増減させるステップと、前記実測値が前記予測値を基準とする前記第１基準範囲内の第２基準範囲に含まれる関係を満たせば、前記電源電圧の増減を停止させるステップと、を備えるようにした。
【００１１】
第３の態様に係る発光素子を含む画素回路を有する画像表示装置の調整システムは、画像表示装置と、該画像表示装置に接続される外部回路と、を備えている。前記画像表示装置は、画像データに基づき、前記画素回路の駆動に係るパラメータの予測値を認識する認識部と、前記画像データに応じて前記発光素子を発光させつつ、前記所定パラメータの値を測定することで、該所定パラメータの実測値を取得する取得部と、前記予測値と前記実測値とを比較する比較部と、を備えている。前記外部回路は、前記比較部による比較結果に応じて、前記画素回路に印加される電源電圧を制御する制御部、を備える。そして、前記制御部は、前記実測値が前記予測値を基準とした第１基準範囲から外れたことに応答して、前記実測値が前記第１基準範囲内で且つ該第１基準範囲よりも幅狭い第２基準範囲に含まれるように前記電源電圧を増減させ、前記実測値が前記第２基準範囲に含まれる関係を満たせば、前記電源電圧の増減を停止させるようにした。
【図面の簡単な説明】
【００１２】
【図１】図１は、本発明の一実施形態に係る画像表示装置の機能構成を示すブロック図である。
【図２】図２は、電源電圧の制御例を説明するための図である。
【図３】図３は、電源電圧の制御例を説明するための図である。
【図４】図４は、電源電圧の制御動作フローを示すフローチャートである。
【図５】図５は、電源電圧の制御動作フローを示すフローチャートである。
【図６】図６は、変形例１に係る電源電圧の制御例を説明するための図である。
【図７】図７は、変形例１に係る電源電圧の制御例を説明するための図である。
【図８】図８は、変形例１に係る電源電圧の制御動作フローを示すフローチャートである。
【図９】図９は、変形例２に係る画像表示装置の機能構成を示すブロック図である。
【図１０】図１０は、変形例３に係る調整システムの概要を示す図である。
【図１１】図１１は、変形例３に係る調整システムの機能構成を示すブロック図である。
【図１２】図１２は、変形例３に係る調整システムを説明するための図である。
【図１３】図１３は、変形例４に係る調整システムの概要を示す図である。
【図１４】図１４は、変形例４に係る調整システムの機能構成を示すブロック図である。
【図１５】図１５は、変形例５に係る画像表示装置の機能構成を示すブロック図である。
【発明を実施するための最良の形態】
【００１３】
以下、本発明の一実施形態を図面に基づいて説明する。【００１４】
＜画像表示装置の機能構成＞
画像表示装置１は、主に、制御手段としての制御部２、有機ＥＬパネル３、取得手段としての電流値取得部４、電源回路５、ＸドライバＸｄおよびＹドライバＹｄを備えている。なお、ここでは、画像データが赤（Ｒ），緑（Ｇ），青（Ｂ）の３原色に係る画像信号によって構成され、有機ＥＬパネル３が、Ｒ色の光を発する発光素子、Ｇ色の光を発する発光素子、Ｂ色の光を発する発光素子を備えて構成されているものとする。【００１５】
制御部２は、画像表示装置１の動作を統括制御する部分であり、ＣＰＵ、ＲＯＭ又はＲＡＭなどを備えて構成される。例えば、ＲＯＭ内には、プログラムや各種データが格納され、ＲＯＭ内のプロクラムをＣＰＵが読み込んで実行することで、制御部２における各種制御や機能が実現される。【００１６】
この制御部２では、画像データから有機ＥＬパネル３で消費される電流の予測値を算出する。そして、制御部２は、この予測値と、画像データに応じた発光により有機ＥＬパネル３で実際に消費される電流（実測値）とを比較して、予測値と実測値とが略一致するように有機ＥＬパネル３に付与する電圧を調節する。【００１７】
以下、有機ＥＬパネル３の駆動に係る電流および電圧を制御する機能について説明する。【００１８】
図１で示すように、制御部２でプログラムが実行されることで、指数演算部１０Ｒ，１０Ｇ，１０Ｂ、積算部２０Ｒ，２０Ｇ，２０Ｂ、予測値取得部３０、γ変換部４０Ｒ，４０Ｇ，４０Ｂ、タイミングジェネレータ（ＴＧ）５０、比較部６０および電圧制御部７０が機能構成として実現される。【００１９】
指数演算部１０Ｒ，１０Ｇ，１０Ｂは、各画素に対応する各色のデータ信号が示す値（すなわち画素値）がＤｒ，Ｄｇ，Ｄｂである画像データを受け付ける。そして、指数演算部１０Ｒ，１０Ｇ，１０Ｂは、各色の画素値Ｄｒ，Ｄｇ，Ｄｂを底とし、所定値（ここでは、２．２）を指数とする指数関数の演算を行う。【００２０】
ここで、画像の階調の応答特性を表わすときに「ガンマ（γ）」という数値が使われる。例えば、ディスプレイの場合、表面の明るさは入力電圧に正比例せずに、指数関数的な変化をする。入力電圧が小さいときは明るさの変化は緩やかで、入力電圧が大きくなると明るさの変化が急激に大きくなる。この関係が、例えば２．２乗のカーブを描くとき、ガンマは２．２であるという。このγ（ガンマ）は、画質の硬調・軟調を決める指数であり、γが比較的大きい場合には画質が硬調となり、γが比較的小さい場合には画質が軟調となる。【００２１】
そして、有機ＥＬパネルの場合には、γ＝２．２が一般に使用されるため、画像データの画素値Ｘに対して２．２乗することで、各画素に対して付与する画像信号、すなわち各発光素子の発光輝度に対応するデータ信号（画素データ信号）の値、すなわち階調が求まる。また、この階調は、各色の画素で消費される電流に略比例する。【００２２】
したがって、指数演算部１０Ｒ，１０Ｇ，１０Ｂでは、各色の画素値Ｄｒ，Ｄｇ，Ｄｂを底とし、２．２を指数とする指数関数の演算がそれぞれ行われる。その結果、各色の画素で消費される電流が間接的に算出される。【００２３】
具体的には、指数演算部１０Ｒが、画像データ（例えば、６ビットの画像データ）のうち、Ｒ色の画素値Ｄｒ（例えば、０〜６３）を２．２乗した値ｉＲを算出する。また、指数演算部１０Ｇが、画像データ（例えば、６ビットの画像データ）のうち、Ｇ色の画素値Ｄｇ（例えば、０〜６３）を２．２乗した値ｉＧを算出する。また、指数演算部１０Ｂが、画像データ（例えば、６ビットの画像データ）のうち、Ｂ色の画素値Ｄｂ（例えば、０〜６３）を２．２乗した値ｉＢを算出する。【００２４】
例えば、６ビットで表現される画素値Ｘが、０／６３，１／６３，２／６３，・・・，６３／６３であり、且つ０≦Ｘ≦(６３／６３)である場合には、下式（１）を用いることで、画素値Ｘを２．２乗した値が近似的に求められる。すなわち、画素値Ｘの２．２乗の近似値が求められる。【００２５】
Ｘ2.2≒(３／４)・Ｘ2＋(１／４)・Ｘ3＝(１／４)×(３Ｘ＋１)・Ｘ2・・・（１）【００２６】
積算部２０Ｒ，２０Ｇ，２０Ｂは、指数演算部１０Ｒ，１０Ｇ，１０Ｂで得られた画素値を２．２乗した値を、Ｒ，Ｇ，Ｂの色ごとに、有機ＥＬパネル３の画素数（例えば、横１２８０個×縦９６０個の合計約１２２８８００個）分だけ累積加算する。【００２７】
詳細には、積算部２０Ｒが、画素値Ｄｒを２．２乗した値ｉＲを有機ＥＬパネル３のＲ色の画素数分だけ累積加算した値ＳｕｍＲを算出する。また、積算部２０Ｇが、画素値Ｄｇを２．２乗した値ｉＧを有機ＥＬパネル３のＧ色の画素数分だけ累積加算した値ＳｕｍＧを算出する。また、積算部２０Ｂが、画素値Ｄｂを２．２乗した値ｉＢを有機ＥＬパネル３のＢ色の画素数分だけ累積加算した値ＳｕｍＢを算出する。【００２８】
予測値取得部３０は、積算部２０Ｒ，２０Ｇ，２０Ｂで算出された値ＳｕｍＲ，ＳｕｍＧ，ＳｕｍＢから、各色の画素値がＤｒ，Ｄｇ，Ｄｂである画像データに対応して有機ＥＬパネル３で消費されると予測される電流の予測値（予測消費電流）Ｉｐを算出する。【００２９】
ここで、有機ＥＬパネル３では、ＲＧＢの３色の発光素子において消費される電流の最大値は、有機ＥＬパネル３のホワイトバランスの設定によって異なる。このため、予め設計上決められるＲＧＢの間で異なる係数Ｃｒ，Ｃｇ，Ｃｂを、値ＳｕｍＲ，値ＳｕｍＧ，値ＳｕｍＢに乗じて加算することで、予測消費電流Ｉｐが算出される。【００３０】
具体的には、下式（２）を用いることで、予測消費電流Ｉｐが算出される。【００３１】
Ｉｐ＝Ｃｒ×ΣｉＲ＋Ｃｇ×ΣｉＧ＋Ｃｂ×ΣｉＢ
＝Ｃｒ×ＳｕｍＲ＋Ｃｇ×ＳｕｍＧ＋Ｃｂ×ＳｕｍＢ・・・（２）【００３２】
このようにして、認識部としての指数演算部１０Ｒ，１０Ｇ，１０Ｂ、積算部２０Ｒ，２０Ｇ，２０Ｂ 、および予測値取得部３０により、画像データの各画素値が２．２乗された値が有機ＥＬパネル３の画面の全体について加算される。そして、有機ＥＬパネル３の予測消費電流Ｉｐが算出される。すなわち、画像データに対して、上述した制御部２の動作に基づき、有機ＥＬパネル３の画面全体に配列される複数の画素回路Ｐｃの駆動において消費される電流の予測値（予測消費電流）Ｉｐが認識される。【００３３】
γ変換部４０Ｒ，４０Ｇ，４０Ｂは、各色の画素値がＤｒ，Ｄｇ，Ｄｂである画像データを受け付けて、いわゆるガンマ補正を行う。ここでは、各色の画素値Ｄｒ，Ｄｇ，Ｄｂが約２．２乗された値に変換される。【００３４】
詳細には、γ変換部４０Ｒは、画素値Ｄｒから画素値Ｄｒを約２．２乗した画素データ信号（すなわち階調）に変換する。また、γ変換部４０Ｇは、画素値Ｄｇから画素値Ｄｇを約２．２乗した画素データ信号（すなわち階調）に変換する。また、γ変換部４０Ｂは、画素値Ｄｂから画素値Ｄｂを約２．２乗した画素データ信号（すなわち階調）に変換する。この変換により、画像信号は、１０ビットの画像信号（すなわち、画素値が０〜１０２３の画像信号）に変換される。そして、変換後の画像信号は、ＸドライバＸｄに入力される。【００３５】
なお、γ変換部４０Ｒ，４０Ｇ，４０Ｂにおける変換処理については、変換前の値と変換後の値とを関連付けたテーブルを予め準備しておき、このテーブルが参照されて行われても良いし、逐一演算によって行われても良い。【００３６】
ＴＧ５０は、ＸドライバＸｄおよびＹドライバＹｄに対して、ＸドライバＸｄおよびＹドライバＹｄの動作を制御するための信号を出力する。【００３７】
この比較部６０は、予測値取得部３０において取得される予測消費電流Ｉｐと、電流値取得部４（後述）から入力される有機ＥＬパネル３における消費電流の実測値（実測消費電流）Iｒとを比較して、比較結果に応じた制御信号を電圧制御部７０に対して出力する。【００３８】
電圧制御部７０は、比較部６０による比較結果に応じて、有機ＥＬパネル３に配列されている複数の画素回路Ｐｃに印加される電源電圧、ここでは各画素回路Ｐｃに含まれている発光素子の両端に印加される電源電圧（電源電圧）を制御する。詳細には、電源回路５の変圧器Ｔｒを制御するための制御信号を送出する。【００３９】
有機ＥＬパネル３は、略長方形の輪郭を有する有機ＥＬディスプレイ（organic electroluminescence display）であり、有機材料に電流を流すことで材料自らが発光する自発光型の発光素子を有する自発光型画像表示装置である。【００４０】
この有機ＥＬパネル３には、多数の画素回路Ｐｃが配列され、各画素回路Ｐｃには、発光素子（ここでは、有機ＥＬ素子）が含まれる。そして、多数の発光素子は、例えば、格子状に配列される。【００４１】
また、有機ＥＬパネル３は、発光輝度に対応するデータ信号（画素データ信号）を各画素回路Ｐｃに供給するための画像信号線と、当該画像信号線に対して略直交するように設けられ、各画素回路Ｐｃに走査信号を供給するための走査信号線とを有する。なお、走査信号は、各画素回路Ｐｃに画像信号線を介して画素データ信号を供給するタイミングを制御する信号である。【００４２】
ＸドライバＸｄは、画像信号線に対して電気的に接続され、画素データ信号を画像信号線に供給するタイミングを制御する回路（画像信号線駆動回路）である。【００４３】
ＹドライバＹｄは、走査信号を走査信号線に供給するタイミングを制御する回路（走査信号線駆動回路）である。【００４４】
なお、画像表示装置１では、例えば、ＸドライバＸｄが、有機ＥＬパネル３の一辺（例えば、短辺または長辺）に沿って配置され、ＹドライバＹｄが、有機ＥＬパネル３の一辺と略直交する他辺（例えば、長辺または短辺）に沿って配置される。【００４５】
電流値取得部４は、画像データに応じて各発光素子を発光させつつ、電源回路５から供給され、有機ＥＬパネル３で消費される電流（電源電流）を実測することで、有機ＥＬパネル３における消費電流の実測値（実測消費電流）Ｉｒを取得するものである。【００４６】
この電流値取得部４は、電流計などを備えて構成され、例えば、電源回路５から有機ＥＬパネル３に至る回路上に抵抗を設け、その抵抗の両端に電流計が接続されている。【００４７】
また、電流値取得部４では、有機ＥＬパネル３の各発光素子が発光する１フレーム分の発光期間のうちの予め決められたタイミングにおける消費電流が測定される。ここでは、各フレームの発光期間の予め決められたタイミングにおいて消費電流が測定される。【００４８】
電源回路５は、電源（例えば、バッテリー）から供給される電力を、制御部２からの制御信号に基づいて、有機ＥＬパネル３の各画素に対して供給するものである。詳細には、各画素回路に含まれる発光素子に対して電力を供給する。【００４９】
この電源回路５は、変圧器Ｔｒを備え、電圧制御部７０からの制御信号に応答して、変圧器（例えば、ＤＣ−ＤＣコンバータ）Ｔｒにより、有機ＥＬパネル３の各画素回路に対して供給する電力を変更する。すなわち、各画素回路に含まれる発光素子の両極間に印加される電源電圧を変更する。例えば、ここでは、１フレームごとに電源電圧が変更される。より詳細には、電源電圧の変更は、１フレーム分の発光期間と次の１フレーム分の発光期間との間に行われる。そして、この電源電圧の変更により、有機ＥＬパネル３における消費電流が変更される。【００５０】
なお、ここでは、制御部２の各種機能が、ＣＰＵでプログラムが実行されることで実現されたが、これに限られない。例えば、制御部２の全て又は一部の構成が、専用の電子回路などのハードウェア構成によって実現されても良い。【００５１】
＜電源電圧の制御方法＞
図２および図３は、電源電圧の制御例を説明するための図である。ここでは、ある程度の期間（時刻ｔ１〜ｔ６）において、画像データ、すなわち予測消費電流Ｉｐが一定である場合を例にとって説明する。【００５２】
図２では、実測消費電流Ｉｒが、予測消費電流Ｉｐを基準とした第１基準範囲Ｒ１から外れ、且つ実測消費電流Ｉｒが予測消費電流Ｉｐよりも低いものと比較部６０により、認識された場合の電源電圧Ｅｒの制御例が示されている。具体的には、図２(ａ)では、縦軸が消費電流、横軸が時刻を示すとともに、実測消費電流Ｉｒ（黒丸および実線）の経時的な変化が示されている。図２(ｂ)では、縦軸が電源電圧、横軸が時刻を示すとともに、電源電圧Ｅｒ（黒丸および実線）の経時的な変化が示されている。【００５３】
実測消費電流Ｉｒが、第１基準範囲Ｒ１内になく、実測消費電流Ｉｒが予測消費電流Ｉｐ（図２(ａ)の太破線）よりも低い場合（時刻ｔ１）、電圧制御部７０および電源回路５により、電源電圧Ｅｒの増加が開始される。ここでは、経時的な特性の変化又は温度変化により、実測消費電流Ｉｒが予測消費電流Ｉｐよりも低くなっているため、実測消費電流Ｉｒが上昇するように、電源電圧Ｅｒが増加される。【００５４】
第１基準範囲Ｒ１は、例えば、予測消費電流Ｉｐを中心とした範囲に設定される。具体的には、予測消費電流Ｉｐを基準とした所定の範囲（例えば、予測消費電流Ｉｐから±２％以内など）に設定される。また、電源電圧Ｅｒの１回の増加量は、所定値（例えば、１０ビットの１階調分に対応する電圧、すなわち１０ｍＶ単位の値）に設定されている。【００５５】
その後、実測消費電流Ｉｒが予測消費電流Ｉｐを基準とする第２基準範囲Ｒ２に含まれる関係を満たすまで、電圧制御部７０および電源回路５により、電源電圧Ｅｒが段階的に増加される（時刻ｔ１〜ｔ６）。そして、実測消費電流Ｉｒが第２基準範囲Ｒ２に含まれる関係を満たせば、電源電圧Ｅｒの増減が停止される（時刻ｔ６）。【００５６】
第２基準範囲Ｒ２は、予測消費電流Ｉｐを中心とした範囲に設定される。また、第２基準範囲Ｒ２の幅は、第１基準範囲Ｒ１の幅よりも相対的に狭く設定されている。さらに、第２基準範囲Ｒ２は、第１基準範囲Ｒ１内に含まれている。具体的には、第２基準範囲Ｒ２は、予測消費電流Ｉｐを基準とした所定の範囲（例えば、±１％以内など）に設定される。【００５７】
電圧制御部７０および電源回路５は、実測消費電流Ｉｒが、予測消費電流Ｉｐを中心とした第１基準範囲Ｒ１から外れたことに応答する。具体的には、実測消費電流Ｉｒが予測消費電流Ｉｐよりも低い場合には、実測消費電流Ｉｒが予測消費電流Ｉｐを中心とした第２基準範囲Ｒ２に到達するまで、電圧制御部７０および電源回路５により電源電圧Ｅｒが段階的に増加される。【００５８】
図３では、実測消費電流Ｉｒが、予測消費電流Ｉｐを基準とした第１基準範囲Ｒ１から外れ、且つ実測消費電流Ｉｒが予測消費電流Ｉｐよりも高いものと比較部６０により、認識された場合の電源電圧Ｅｒの制御例が示されている。具体的には、図３(ａ)では、縦軸が消費電流、横軸が時刻を示すとともに、実測消費電流Ｉｒ（黒丸および実線）の経時的な変化が示されている。また、図３(ｂ)では、縦軸が電源電圧、横軸が時刻を示すとともに、電源電圧Ｅｒ（黒丸および実線）の経時的な変化が示されている。【００５９】
実測消費電流Ｉｒが、第１基準範囲Ｒ１内になく、実測消費電流Ｉｒが予測消費電流Ｉｐ（図３(ａ)の太破線）よりも高い場合（時刻ｔ１）、電圧制御部７０および電源回路５により、電源電圧Ｅｒの低減が開始される。ここでは、経時的な特性の変化又は温度変化により、実測消費電流Ｉｒが予測消費電流Ｉｐよりも高くなっているため、実測消費電流Ｉｒが低下するように、電源電圧Ｅｒが低減される。なお、電源電圧Ｅｒの１回の低減量は、例えば、所定値（例えば、１０ビットの１階調分に対応する電圧、すなわち１０ｍＶ単位の値）に設定されている。【００６０】
そして、実測消費電流Ｉｒが予測消費電流Ｉｐを基準とした第２基準範囲Ｒ２に含まれるまで、電圧制御部７０および電源回路５により、電源電圧が段階的に低減される（時刻ｔ１〜ｔ６）。その後、実測消費電流Ｉｒと予測消費電流Ｉｐとが所定の関係を満たせば、電源電圧の増減が停止される（時刻ｔ６）。【００６１】
このようにして、電圧制御部７０および電源回路５により、実測消費電流Ｉｒが、予測消費電流Ｉｐを中心とした第１基準範囲Ｒ１から外れたことに応答して、実測消費電流Ｉｒが予測消費電流Ｉｐよりも高い場合には、実測消費電流Ｉｒが予測消費電流Ｉｐを中心とした第２基準範囲Ｒ２に到達するまで、電源電圧が低減される。【００６２】
そして、ここでは、図２および図３を示して説明したように、実測消費電流Ｉｒが、予測消費電流Ｉｐを基準とした第２基準範囲Ｒ２に入ると、電源電圧の増減が停止されるため、有機ＥＬパネル３における経時的な特性の変化又は温度変化に対して迅速に発光輝度が安定化される。【００６３】
また、電源電圧の増減を開始させる条件を規定する予測消費電流Ｉｐを基準とした第１基準範囲Ｒ１の幅の方が、電源電圧の増減を停止させる条件を既定する予測消費電流Ｉｐを基準とした第２基準範囲Ｒ２の幅のよりも広く設定される。このような設定により、電源電圧の頻繁な変更による発光輝度の頻繁な変化が低減されるため、画像表示装置１の発光輝度が安定化される。【００６４】
＜電源電圧の制御動作＞
図４および図５は、画像表示装置１における電源電圧の制御動作フローを示すフローチャートである。本動作フローは、制御部２で所定のプログラムが実行されることで実現され、例えば、画像データが制御部２に入力されると開始される。【００６５】
まず、ステップＳ１では、指数演算部１０Ｒ，１０Ｇ，１０Ｂ、積算部２０Ｒ，２０Ｇ，２０Ｂ、および予測値取得部３０により、予測値（ここでは、予測消費電流Ｉｐ）が取得される。【００６６】
詳細には、図５で示すように、まず、指数演算部１０Ｒ，１０Ｇ，１０Ｂにより、各色の６ビットの画像信号を２．２乗した値ｉＲ，ｉＧ，ｉＢが算出される（ステップＳ１１）。次に、積算部２０Ｒ，２０Ｇ，２０Ｂにより、各色について、値ｉＲ，ｉＧ，ｉＢを有機ＥＬパネル３の各色の画素数分だけ累積加算した値ＳｕｍＲ，ＳｕｍＧ，ＳｕｍＢが算出される（ステップＳ１２）。更に、予測値取得部３０により、値ＳｕｍＲ，ＳｕｍＧ，ＳｕｍＢから、予測消費電流Ｉｐが算出される（ステップＳ１３）。【００６７】
ステップＳ２では、電流値取得部４により、１フレームの発光期間の予め定められたタイミングで実測値（ここでは、実測消費電流Ｉｒ）が取得される。【００６８】
ステップＳ３では、ステップＳ２で取得された実測消費電流Ｉｒが、ステップＳ１で取得された予測消費電流Ｉｐを基準とした第１基準範囲Ｒ１外にあるか否か比較部６０により、判定される。ここでは、実測消費電流Ｉｒが、第１基準範囲Ｒ１外にあれば、ステップＳ４に進み、実測消費電流Ｉｒが、第１基準範囲Ｒ１外になければ、本動作フローが終了される。【００６９】
ステップＳ４では、実測消費電流Ｉｒが、予測消費電流Ｉｐよりも高いか低いか比較部６０により、判定される。ここで、実測消費電流Ｉｒが、予測消費電流Ｉｐよりも高ければ、電圧制御部７０および電源回路５により、電源電圧を低下させる（ステップＳ５）。また、実測消費電流Ｉｒが、予測消費電流Ｉｐよりも低ければ、電圧制御部７０および電源回路５により、電源電圧を上昇させる（ステップＳ６）。なお、ステップＳ５，Ｓ６における電源電圧の変更は、有機ＥＬパネル３の１フレーム分の発光期間と発光期間との間に行われる。【００７０】
ステップＳ７では、ステップＳ１と同様な処理により予測消費電流Ｉｐが取得される。なお、この予測消費電流Ｉｐは、前回に予測消費電流Ｉｐが取得されたフレームの次のフレームの画像データから取得される。【００７１】
ステップＳ８では、ステップＳ２と同様な処理により実測消費電流Ｉｒが取得される。この実測消費電流Ｉｒは、前回に実測消費電流Ｉｒが取得されたフレームの次のフレームの発光期間において取得される。【００７２】
ステップＳ９では、、実測消費電流Ｉｒが、予測消費電流Ｉｐを基準とした第２基準範囲Ｒ２内にあるかないか比較部６０により判定される。ここで、実測消費電流Ｉｒが、第２基準範囲Ｒ２内になければ、ステップＳ４に進む。また、実測消費電流Ｉｒが、第２基準範囲Ｒ２内にあれば、本動作フローが終了される。【００７３】
つまり、実測消費電流Ｉｒが、第２基準範囲Ｒ２内に入るまで、ステップＳ４〜Ｓ９の処理が繰り返される。【００７４】
このような動作フローが実行されることで、例えば、各フレームの画像データについて、予測消費電流Ｉｐと実測消費電流Ｉｒとが取得され、その比較結果に応じて、各フレームの切れ目に電源電圧が切り替えられる。例えば、フレームレートが１／６０秒の場合には、１／６０秒ごとに予測消費電流Ｉｐと実測消費電流Ｉｒとが比較され、適宜電源電圧の調整が実施される。【００７５】
以上のように、本発明の一実施形態に係る画像表示装置１では、ある画像データについて、複数の画素回路Ｐｃの駆動に係るパラメータ（ここでは電流）の予測値と実測値とが比較され、その比較結果に応じて電源電圧が増減される。このため、有機ＥＬ素子において、特性の経時変化又は温度の変化によって、ＴＦＴ又は有機ＥＬ素子が動作する電圧が変化しても、同じ画像データに対する発光輝度を良好に保持することができる。すなわち、画像表示装置の発光輝度を安定化させることができる。【００７６】
また、電源電圧が低く設定されるため、有機ＥＬパネル３の発光に要する電力が低減される。その結果、発熱の抑制による有機ＥＬパネル３の長寿命化が図られるとともに、低消費電力化、ひいてはＣＯ2ガスの排出削減に資する環境に優しい画像表示装置１が実現される。【００７７】
更に、本発明の一実施形態に係る手法によれば、有機ＥＬパネル３の温度を測定し、この測定結果に基づいて有機ＥＬ素子の画素回路Ｐｃに付与する電源電圧等を制御する技術と比較して、電圧の変更から発光輝度が所望の値となるまでの時間を短くすることができる。これは有機ＥＬ素子の輝度が電源電流（画素回路の駆動に係る電流値）に略比例する特性を利用し、電源電流の測定値を電源電圧の調整に反映させるようにしているからである。【００７８】
また、比較的簡単な構成で測定可能な電流の実測値とその予測値との比較により、電源電圧が増減する。このため、構成の複雑化を招くことなく、経時的な特性の変化又は温度変化に対して発光輝度が安定化される。【００７９】
また、有機ＥＬパネル３の画面全体について、複数の画素回路Ｐｃの駆動に係る所定のパラメータ（ここでは、消費電流）の予測値と実測値とが比較され、その比較結果に応じて電源電圧が増減される。このため、有機ＥＬパネル３の画面全体について、まとめて画像データと発光状態との関係を認識して、効率良く、経時的な特性の変化又は温度変化に対して発光輝度が安定化される。【００８０】
また、１フレーム分の発光期間中においても発光状態が変化するため、１フレーム分の発光期間の同じタイミングで実測値が測定される。このため、より高精度に、経時的な特性の変化又は温度変化に対して発光輝度が安定化される。【００８１】
なお、本発明は上述の一実施形態に限定されるものではなく、本発明の要旨を逸脱しない範囲において種々の変更、改良等が可能である。【００８２】
＜変形例１＞
◎上記一実施形態では、実測消費電流Ｉｒが、予測消費電流Ｉｐを中心とした第２基準範囲Ｒ２に到達するまで、電源電圧を調整するようにしたが、これに限られない。【００８３】
例えば、実測消費電流Ｉｒが予測消費電流Ｉｐに到達するまで電源電圧が調整されるようにしても良い。具体的には、実測消費電流Ｉｒが予測消費電流Ｉｐよりも高ければ、実測消費電流Ｉｒが予測消費電流Ｉｐ以下となるまで、電源電圧が低減され、実測消費電流Ｉｒが予測消費電流Ｉｐよりも低ければ、実測消費電流Ｉｒが予測消費電流Ｉｐ以上となるまで、電源電圧が増加されるようにしても良い。【００８４】
図６および図７は、変形例１に係る電源電圧の制御例を説明するための図である。ここでは、図２および図３と同様に、ある程度の期間（時刻ｔ１〜ｔ６）において、予測消費電流Ｉｐが一定である場合を例にとって説明する。【００８５】
図６では、実測消費電流Ｉｒが、予測消費電流Ｉｐを基準とした第１基準範囲Ｒ１から外れ、且つ実測消費電流Ｉｒが予測消費電流Ｉｐよりも低いものと比較部６０により、認識された場合の電源電圧の制御例が示されている。また、図７では、実測消費電流Ｉｒが、予測消費電流Ｉｐを基準とした第１基準範囲Ｒ１から外れ、且つ実測消費電流Ｉｒが予測消費電流Ｉｐよりも高いものと比較部６０により、認識された場合の電源電圧の制御例が示されている。具体的には、図２と同様に、図６(ａ)，図７(ａ)では、縦軸が消費電流、横軸が時刻を示すとともに、実測消費電流Ｉｒ（黒丸および実線）の経時的な変化が示されている。図６(ｂ)，図７(ｂ)では、縦軸が電源電圧、横軸が時刻を示すとともに、電源電圧Ｅｒ（黒丸および実線）の経時的な変化が示されている。【００８６】
まず、図６で示すように、実測消費電流Ｉｒが、第１基準範囲Ｒ１内になく、実測消費電流Ｉｒが予測消費電流Ｉｐ（図６(ａ)中の太破線）よりも低い場合（時刻ｔ１）、電圧制御部７０および電源回路５により、電源電圧Ｅｒの増加が開始される。ここでは、経時的な特性の変化又は温度変化により、実測消費電流Ｉｒが予測消費電流Ｉｐよりも低くなっているため、実測消費電流Ｉｒが上昇するように、電源電圧Ｅｒが増加される。そして、実測消費電流Ｉｒが予測消費電流Ｉｐに到達するまで、すなわち、実測消費電流Ｉｒが予測消費電流Ｉｐ以上となるまで、電源電圧Ｅｒが段階的に増加され（時刻ｔ１〜ｔ６）る。そして、実測消費電流Ｉｒが予測消費電流Ｉｐに到達すれば、すなわち、実測消費電流Ｉｒが予測消費電流Ｉｐ以上となれば、電源電圧Ｅｒの増減が停止される（時刻ｔ６）。【００８７】
図７で示すように、実測消費電流Ｉｒが、第１基準範囲Ｒ１内になく、実測消費電流Ｉｒが予測消費電流Ｉｐ（図７(ａ)中の太破線）よりも高い場合（時刻ｔ１）、電圧制御部７０および電源回路５により、電源電圧Ｅｒの低減が開始される。ここでは、経時的な特性の変化又は温度変化により、実測消費電流Ｉｒが予測消費電流Ｉｐよりも高くなっているため、実測消費電流Ｉｒが低下するように、電源電圧Ｅｒが低減される。そして、実測消費電流Ｉｒが予測消費電流Ｉｐに到達するまで、すなわち、実測消費電流Ｉｒが予測消費電流Ｉｐ以下となるまで、電源電圧Ｅｒが増加される（時刻ｔ１〜ｔ６）。そして、実測消費電流Ｉｒが予測消費電流Ｉｐに到達すれば、すなわち、実測消費電流Ｉｒが予測消費電流Ｉｐ以下となれば、電源電圧Ｅｒの増減が停止される（時刻ｔ６）。【００８８】
図８は、変形例１に係る電源電圧の制御動作フローを示すフローチャートである。本動作フローは、制御部２で所定のプログラムが実行されることで実現され、例えば、画像データが制御部２に入力されると開始される。【００８９】
まず、ステップＳＴ１〜ＳＴ５では、図４のステップＳ１〜Ｓ５と同様な処理が行われる。【００９０】
ステップＳＴ６，ＳＴ７では、図４のステップＳ１，Ｓ２と同様な処理が行われる。【００９１】
ステップＳＴ８では、実測値（ここでは、実測消費電流Ｉｒ）が予測値（ここでは、予測消費電流Ｉｐ）よりも低いか否か判定される。ここでは、実測値が予測値よりも高ければ、ステップＳＴ５に進み、実測値が予測値よりも低ければ、本動作フローが終了される。つまり、実測消費電流Ｉｒが、予測消費電流Ｉｐに到達するまで、ステップＳＴ５〜ＳＴ８の処理が繰り返される。【００９２】
また、ステップＳＴ９では、図４のステップＳ６と同様な処理が行われ、ステップＳＴ１０，ＳＴ１１では、図４のステップＳ１，Ｓ２と同様な処理が行われる。【００９３】
ステップＳＴ１２では、実測値（ここでは、実測消費電流Ｉｒ）が予測値（ここでは、予測消費電流Ｉｐ）よりも高いか低いか判定される。ここでは、実測値が予測値よりも低ければ、ステップＳＴ９に進み、実測値が予測値よりも高ければ、本動作フローが終了される。つまり、実測消費電流Ｉｒが、予測消費電流Ｉｐに到達するまで、ステップＳＴ９〜ＳＴ１２の処理が繰り返される。【００９４】
このような動作フローが実行されることで、例えば、各フレームの画像データについて、予測消費電流Ｉｐと実測消費電流Ｉｒとが取得され、その比較結果に応じて、各フレームの発光期間の切れ目に電源電圧が切り替えられる。【００９５】
このように、実測値が予測値まで到達すると、電源電圧の増減が停止されるような構成が採用されると、第２基準範囲Ｒ２を設定して、実測値が第２基準範囲Ｒ２内にあるかないかといった複雑な比較演算を行うことなく、経時的な特性の変化又は温度変化に対して容易に発光輝度を安定化させることができる。【００９６】
＜変形例２＞
◎また、上記実施形態では、指数演算部１０Ｒ，１０Ｇ，１０Ｂが、指数関数に画素値Ｄｒ，Ｄｇ，Ｄｂを代入することで、各色の画素値Ｄｒ，Ｄｇ，Ｄｂを２．２乗した値ｉＲ，ｉＧ，ｉＢを逐一算出したが、これに限られない。例えば、入力される画素値Ｄｒ，Ｄｇ，Ｄｂとその画素値Ｄｒ，Ｄｇ，Ｄｂを２．２乗した値ｉＲ，ｉＧ，ｉＢとを関連付けたデータテーブル（以下「テーブル」と略称する）を記憶部などに格納しておき、そのテーブルを参照することで、各色の画素値を２．２乗した値を取得するようにしても良い。【００９７】
図９は、変形例２に係る画像表示装置１Ａの機能構成を示すブロック図である。画像表示装置１Ａは、上記一実施形態に係る画像表示装置１と比較して、指数演算部１０Ｒ，１０Ｇ，１０Ｂおよび制御部２が、階調認識部１０ＲＡ，１０ＧＡ，１０ＢＡおよび制御部２Ａに変更され、テーブルＴＡを格納した記憶部５００が追加された点で異なる。その他の構成は、同様であるため、同じ符号を付して説明を省略する。なお、この変形例２では、認識部が、階調認識部１０ＲＡ，１０ＧＡ，１０ＢＡ、積算部２０Ｒ，２０Ｇ，２０Ｂ、予測値取得部３０、並びに記憶部５００である。【００９８】
記憶部５００は、ハードディスクなどを備えて構成され、テーブルＴＡを格納する。このテーブルＴＡは、画素値Ｄｒ，Ｄｇ，Ｄｂとその画素値Ｄｒ，Ｄｇ，Ｄｂを２．２乗した値ｉＲ，ｉＧ，ｉＢとを関連付けたテーブルである。なお、テーブルＴＡは、記憶部５００に格納されることなく、制御部２Ａに内蔵されたＲＯＭ内に格納されても良い。【００９９】
階調認識部１０ＲＡ，１０ＧＡ，１０ＢＡは、画素値Ｄｒ，Ｄｇ，Ｄｂが入力されると、テーブルＴＡを参照し、各色の画素値Ｄｒ，Ｄｇ，Ｄｂを２．２乗した値ｉＲ，ｉＧ，ｉＢを認識する。詳細には、階調認識部１０ＲＡが、画像データ（例えば、６ビットの画像データ）のうち、Ｒ色の画素値Ｄｒ（例えば、０〜６３）を２．２乗した値ｉＲを認識する。また、階調認識部１０ＧＡが、画像データ（例えば、６ビットの画像データ）のうち、Ｇ色の画素値Ｄｇ（例えば、０〜６３）を２．２乗した値ｉＧを認識する。さらに、階調認識部１０ＢＡが、画像データ（例えば、６ビットの画像データ）のうち、Ｂ色の画素値Ｄｂ（例えば、０〜６３）を２．２乗した値ｉＢを認識する。【０１００】
なお、積算部２０Ｒ，２０Ｇ，２０Ｂは、階調認識部１０ＲＡ，１０ＧＡ，１０ＢＡで認識された画素値Ｄｒ，Ｄｇ，Ｄｂを２．２乗した値ｉＲ，ｉＧ，ｉＢを、色ごとに有機ＥＬパネル３の画素数分だけ累積加算する。【０１０１】
このように、画素値Ｄｒ，Ｄｇ，Ｄｂと画素値Ｄｒ，Ｄｇ，Ｄｂを２．２乗した値ｉＲ，ｉＧ，ｉＢとを関連付けた情報を予め準備しておくことで、演算量を低減することができる。すなわち、処理の高速化が図られる。【０１０２】
ところで、有機ＥＬ素子においては、流れる電流と発光輝度とが略正比例の関係を示すが、厳密に言えば、電流が高くなればなる程、流れる電流が光に変換される効率（すなわち電流効率）が若干低下する傾向を示す。【０１０３】
そこで、設計段階で、予め、有機ＥＬパネル３が発光している際の輝度を輝度計で測定しつつ、画素値Ｄｒ，Ｄｇ，Ｄｂに対して所望の輝度が得られる電流を測定する。そして、予め、画素値Ｄｒ，Ｄｇ，Ｄｂの組合せと予測消費電流Ｉｐとを関連付けたテーブルを準備しておき、そのテーブルを参照することで、各色の画素値Ｄｒ，Ｄｇ，Ｄｂに対応する予測消費電流Ｉｐを取得するようにしても良い。【０１０４】
このような構成によれば、電流効率の影響をも考慮して、高精度に、経時的な特性の変化又は温度変化に対して発光輝度を安定化させることができる。【０１０５】
＜変形例３＞
◎また、上記変形例１では、有機ＥＬパネル３における消費電流を、予測消費電流Ｉｐと実測消費電流Ｉｒとの比較結果に応じて、有機ＥＬパネル３に係る電源電圧を制御したが、これに限られない。【０１０６】
例えば、有機ＥＬパネル３の複数の画素回路Ｐｃに含まれる複数の発光素子から発せられる光の輝度を、パラメータととしてもよい。この場合、まず、ある画像データに対して、予め定められたルールに基づき、有機ＥＬパネル３から発せられる光の輝度の予測値を認識する。そして、その実測値を取得して、予測値と実測値との比較結果に応じて、有機ＥＬパネル３に係る電源電圧を制御するようにしても良い。【０１０７】
このような構成によれば、実際の画面の見え方と直結する輝度の実測値とその予測値との比較により、電源電圧が増減されるため、精度良く、経時的な特性の変化又は温度変化に対して発光輝度を安定化させることができる。【０１０８】
図１０は、変形例３に係る画像表示装置１Ｂを調整する調整システム７００Ｂの概要を示す図である。【０１０９】
調整システム７００Ｂは、画像表示装置１Ｂと、輝度取得部２００とを備えている。ここでは、輝度取得部２００は、画像表示装置１Ｂとは別体として構成され、有機ＥＬパネル３から発せられる光の輝度を正面側から測定する輝度計を有する。【０１１０】
この輝度取得部２００は、ケーブル又は接続部ＪＴを介して、画像表示装置１Ｂに対してデータ伝送可能に接続される。詳細には、輝度取得部２００から引き出されたケーブルの端部の端子Ｊｂを、画像表示装置１Ｂに設けられた端子Ｊａに対して電気的に接続することで、接続部ＪＴが形成される。【０１１１】
輝度取得部２００によって、有機ＥＬパネル３の正面側から有機ＥＬパネル３から発せられる光の輝度を適正に測定するために、例えば、所定の基台に対して輝度取得部２００が固設されるとともに、基台に設けられた所定の溝部に画像表示装置１Ｂを嵌合させることで、輝度取得部２００と、有機ＥＬパネル３との位置関係が所定の設定条件となるように構成されていることが好ましい。【０１１２】
図１１は、変形例３に係る画像表示装置１Ｂを調整する調整システム７００Ｂの機能構成を示すブロック図である。ここでは、上記一実施形態と同様な構成について同じ符号を付して説明を省略する。なお、この変形例３では、認識部が、輝度認識部１０ＲＢ，１０ＧＢ，１０ＢＢ、積算部２０ＲＢ，２０ＧＢ，２０ＢＢ、予測値取得部３０Ｂ、並びに記憶部５００Ｂである。【０１１３】
調整システム７００Ｂは、制御部２Ｂ、有機ＥＬパネル３、輝度取得部２００、電源回路５、ＸドライバＸｄ、ＹドライバＹｄ、および記憶部５００Ｂを備えている。【０１１４】
記憶部５００Ｂには、画素値Ｄｒ，Ｄｇ，Ｄｂと、輝度との関係を示すデータテーブル（テーブル）ＴＢが格納されている。このテーブルＴＢ内には、例えば、画素値Ｄｒ，Ｄｇ，Ｄｂに対応させて、輝度計による実測などによって得られた値を、初期値として予め格納しておけば良い。【０１１５】
制御部２Ｂでは、ＲＯＭ内などに格納される所定のプログラムが実行されることで、各種機能又は動作が実行される。【０１１６】
具体的には、輝度認識部１０ＲＢ，１０ＧＢ，１０ＢＢが、各画素に対応する各色のデータ信号が示す値（すなわち画素値）がＤｒ，Ｄｇ，Ｄｂである画像データを受け付けて、テーブルＴＢを参照し、対応する輝度Ｐｒ，Ｐｇ，Ｐｂをそれぞれ認識する。詳細には、輝度認識部１０ＲＢが、Ｒ色の画素値Ｄｒに対応する輝度Ｐｒを認識する。輝度認識部１０ＧＢが、Ｇ色の画素値Ｄｇに対応する輝度Ｐｇを認識する。輝度認識部１０ＢＢが、Ｂ色の画素値Ｄｂに対応する輝度Ｐｂを認識する。【０１１７】
積算部２０ＲＢ，２０ＧＢ，２０ＢＢが、輝度認識部１０ＲＢ，１０ＧＢ，１０ＢＢで認識された輝度Ｐｒ，Ｐｇ，Ｐｂを、色ごとに有機ＥＬパネル３の画素数分だけ累積加算する。詳細には、積算部２０ＲＢが、Ｒ色に係る輝度の積算値ＳｕｍＰｒを算出する。積算部２０ＧＢが、Ｇ色に係る輝度の積算値ＳｕｍＰｇを算出する。積算部２０ＢＢが、Ｂ色に係る輝度の積算値ＳｕｍＰｂを算出する。【０１１８】
予測値取得部３０Ｂが、積算値ＳｕｍＰｒ，ＳｕｍＰｇ，ＳｕｍＰｂを加算することで、有機ＥＬパネル３から発せられる光の輝度の予測値（以下「予測輝度」とも称する）を認識（取得）する。【０１１９】
比較部６０Ｂは、輝度取得部２００によって取得された有機ＥＬパネル３の輝度の実測値（以下「実測輝度」とも称する）を、接続部ＪＴを介して取得する。そして、予測輝度と実測輝度とを比較して、比較結果に応じた制御信号を電圧制御部７０に対して出力する。【０１２０】
電源電圧の制御方法については、上記一実施形態の予測消費電流と実測消費電流とが、予測輝度と実測輝度とに変更されているが、予測消費電流と実測消費電流との関係に応じた電源電圧の制御と同様に、予測輝度と実測輝度との関係に応じた電源電圧の制御が行われる。【０１２１】
輝度計は、例えば、所定期間（例えば数秒間）において有機ＥＬパネル３から発せられる光の輝度が測定される。このため、電源電圧を変更するタイミングの間隔が、上記一実施形態よりも長くなる傾向となる。【０１２２】
ここでは、図１０で示すように、輝度取得部２００が、画像表示装置１Ｂとは別体として設けられた調整システム７００Ｂを具体例として説明したが、これに限られず、画像表示装置に輝度取得部を内蔵させる構成であっても良い。【０１２３】
例えば、図１２で示すように、有機ＥＬパネル３の前面側ではなく、側面側に輝度取得部２００Ｂを配置するような態様が考えられる。詳細には、例えば、輝度取得部２００Ｂが、有機ＥＬパネル３の前面側に設けられた保護ガラスの側方に出射される光（横向きの光）の輝度を取得するように構成されている。なお、図１２では、上方が有機ＥＬパネル３の前面側であり、また、矢印が有機ＥＬパネル３から出射される光の進行方向を示している。【０１２４】
但し、このような態様では、輝度取得部２００Ｂによって、有機ＥＬパネル３の画面全体から出射される光の輝度を測定することは難しいため、測定される光の輝度に対応する予測輝度を認識して、比較を行う必要性がある。【０１２５】
＜変形例４＞
◎また、上記一実施形態では、画像表示装置１に電流値取得部４が内蔵されていたが、これに限られず、電流値取得部を画像表示装置に対して付加するような態様も考えられる。【０１２６】
図１３は、変形例４に係る画像表示装置１Ｃを調整する調整システム７００Ｃの概要を示す図である。【０１２７】
調整システム７００Ｃは、画像表示装置１Ｃと、電流値取得部４Ｃとを備え、電流値取得部４Ｃは、画像表示装置１Ｃとは別体として構成されている。【０１２８】
電流値取得部４Ｃは、有機ＥＬパネル３における実測消費電流Ｉｒを取得する。ここでは、実測消費電流Ｉｒは、画像データに応じて有機ＥＬパネル３の各発光素子を発光させつつ、電源回路５から供給され、有機ＥＬパネル３で消費される電流（電源電流）を実測することで得られる。【０１２９】
この電流値取得部４Ｃは、ケーブル又は接続部ＪＴｃを介して、画像表示装置１Ｃに対して電気的に接続される。例えば、電流値取得部４Ｃから引き出されたケーブルの端部の端子を、画像表示装置１Ｃに設けられた端子に対して電気的に接続することで、接続部ＪＴｃが形成される。そして、例えば、電源回路５と有機ＥＬパネル３とを電気的に接続する回路中に抵抗ＲＲが設けられ、その抵抗ＲＲに対して電気的に並列に電流値取得部４Ｃが接続される。【０１３０】
図１４は、変形例４に係る画像表示装置１Ｃを調整する調整システム７００Ｃの機能構成を示すブロック図である。【０１３１】
調整システム７００Ｃは、上記実施形態に係る画像表示装置１と比較して、上記実施形態に係る画像表示装置１の電流値取得部４が、画像表示装置の外部に設けられている。そして、電流値取得部４は、接続部ＪＴｃを介して、実測消費電流Ｉｒを取得し、比較部６０に実測消費電流Ｉｒを示す情報を送出するように構成されている。その他の構成については同様な構成となっている。なお、上記一実施形態と同様な構成について同じ符号を付して説明を省略する。この変形例４では、認識部が、指数演算部１０Ｒ，１０Ｇ，１０Ｂ、積算部２０Ｒ，２０Ｇ，２０Ｂ、および予測値取得部３０である。さらに、電圧制御部を備えた外部回路を画像表示装置に対して付加するような態様であっても良い。【０１３２】
＜変形例５＞
◎また、上記変形例１では、経時的な特性の変化又は温度変化に対して発光輝度を安定化させるために、各画素回路に含まれる発光素子の両端に印加される電源電圧を調整したが、これに限られない。例えば、有機ＥＬパネル３の各画素回路に対して供給される画像データの電力を調整しても良い。また、発光素子の両端に印加される電圧及び画像データ信号の電圧の双方を調整しても良い。後者の場合、有機ＥＬ素子の両端に印加される電源電圧の変動分の３０〜５０％程度の変動を画像データ信号の電圧に対して行うことで、各画素回路Ｐｃに含まれる有機ＥＬ素子の電流−電圧特性（Ｉ−Ｖ特性）だけでなく、各画素回路Ｐｃにおいて有機ＥＬ素子への電流の流れを制御するためのＴＦＴの電流−電圧特性（Ｉ−Ｖ特性）を利用して、有機ＥＬパネル３における消費電流を変化させることができる。このような構成を採用すれば、有機ＥＬパネル３に係る電源電圧の変更に対する輝度の変化の幅を大きくすることができる。なお、このような構成を採用した画像表示装置の機能構成の具体例を以下に示す。【０１３３】
図１５は、変形例５に係る画像表示装置１Ｄの機能構成を示すブロック図である。電圧制御部７０からの信号に応じて、電源回路５Ｄが、各画素回路に含まれる発光素子の両端に印加される電源電圧を調整するとともに、ＸドライバＸｄに印加される電源電圧を調整する。ＸドライバＸｄに印加される電圧が調整されると、画素回路に供給される画像データ信号の電圧が変更される。【０１３４】
＜変形例６＞
上記変形例３では、有機ＥＬパネル３の複数の画素回路Ｐｃに含まれる複数の発光素子から発せられる光の輝度を、比較の対象であるパラメータとしたが、これに限られない。【０１３５】
有機ＥＬパネル３の周囲の照度及び輝度（例えば、照度／輝度）を、パラメータとしても良い。つまり、有機ＥＬパネル３の使用される状況、すなわち周囲の明るさに応じて、有機ＥＬパネル３に係る電源電圧を制御しても良い。具体的には、上記変形例３において、有機ＥＬパネル３から発せられる光の輝度を測定した輝度計に加えて、有機ＥＬパネル３の周囲の明るさを測定する照度計を設ける。【０１３６】
照度計が、消灯時における有機ＥＬパネル３の周囲の照度を実測し、これを発光時の有機ＥＬパネルの輝度値で割った値を実測値とする。また、予め所望の照度／輝度値を予測値と定め、その予測値を基準に第１基準範囲及び第２基準範囲を定めておく。【０１３７】
実測値が、予測値よりも大きい場合は、有機ＥＬパネル３に係る電源電圧を大きくする。また、実測値が、予測値よりも小さい場合は、有機ＥＬパネル３に係る電源電圧を小さくする。【０１３８】
このような構成によれば、実際の画面の見え方と直結する照度に合わせて、電源電圧が増減されるため、発光輝度を安定化させることができる。【０１３９】
＜その他の変形例＞
◎また、上記一実施形態では、画像データがＲＧＢの３色に係る画像信号を有し、有機ＥＬパネル３がＲＧＢの３色の光を発するものとして説明したが、これに限られず、例えば、画像データが所定の１色（より一般的には、１色以上）の画像信号を有し、有機ＥＬパネル３が所定の１色（より一般的には、１色以上）の光を発するような構成についても、本発明を適用することができる。【０１４０】
◎また、上記一実施形態および変形例では、有機ＥＬパネル３の画面全体に配置される複数の画素回路Ｐｃの駆動に係るパラメータ（例えば、消費電流又は輝度等）の実測値と予測値とを取得し、その実測値と予測値との比較結果に応じて、電源電圧が適宜制御されたが、これに限られない。【０１４１】
例えば、有機ＥＬパネル３の画面全体を複数のエリアに分割し、各エリアについて、複数の画素回路Ｐｃの駆動に係る所定のパラメータの実測値と予測値とを取得し、その実測値と予測値との比較結果に応じて、電源電圧が適宜制御されるような構成も考えられる。なお、上記画面全体の一部のエリアとして、例えば、所定方向に沿って複数の画素回路Ｐｃが配列されて構成されているいわゆる１ライン分のエリアや、複数ライン分のエリアなど多種多様なエリアを採用しても良い。【０１４２】
◎また、上記一実施形態では、各フレームの発光期間において、予め定められたタイミングで画素回路Ｐｃの駆動に係るパラメータ（例えば、消費電流）が測定されたが、これに限られない。例えば、所定数のフレームのうちの１フレームの発光期間において、予め定められたタイミングでパラメータが測定されても良い。つまり、１フレーム分の発光期間のＮ倍（Ｎは自然数）の間隔で消費電流が測定されても良い。なお、このような構成では、所定数のフレームごとに、
電源電圧の調整が行われる。
【図１】
2009017156.tif 000003
【図２】
2009017156.tif 000004
【図３】
2009017156.tif 000005
【図４】
2009017156.tif 000006
【図５】
2009017156.tif 000007
【図６】
2009017156.tif 000008
【図７】
2009017156.tif 000009
【図８】
2009017156.tif 000010
【図９】
2009017156.tif 000011
【図１０】
2009017156.tif 000012
【図１１】
2009017156.tif 000013
【図１２】
2009017156.tif 000014
【図１３】
2009017156.tif 000015
【図１４】
2009017156.tif 000016
【図１５】
2009017156.tif 000017
【国際調査報告】
2009017156.tif 000018
2009017156.tif 000019
2009017156.tif 000020